(57)【要約】【目的】本発明は、カメラ付携帯電話のカメラ機能を制御するカメラ機能制御方法およびカメラ機能制御システムに関し、工場などの区域のレベルに応じて入域許可、カメラ機能抑止、送受信機能抑止をきめ細かく自動制御することを目的とする。【構成】  カメラ撮影禁止区域の入口に設けたゲートがＫＩＣタグからリードした許可番号について許可された番号と判明したときにゲートのＧＩＣタグにカメラ撮影禁止コードをライトすると共にゲートを開け、カメラ付携帯のＩＣタグリーダ・ライタがＧＩＣタグからカメラ撮影禁止コードをリードしてカメラ撮影抑止すると共にＫＩＣタグにライトし、一方、カメラ撮影禁止区域の出口に設けたゲートでカメラ付携帯のＩＣタグリーダ・ライタが当該ゲートのＩＣタグからカメラ撮影禁止解除コードをリードしたときにカメラ撮影抑止解除すると共にＫＩＣタグのカメラ撮影禁止の解除コードをライトするカメラ機能制御方法である。【選択図】        図１
2007068104.tif 000002
【特許請求の範囲】
【請求項１】
カメラ付携帯電話のカメラ機能を制御するカメラ機能制御方法において、
カメラ付携帯電話にＩＣタグリーダ・ライタおよび許可番号をライトするＩＣタグ（以下、ＫＩＣタグという）を設け、
カメラ撮影禁止区域の入口に設けたゲートが前記ＫＩＣタグからリードした許可番号について許可された番号と判明したときに当該ゲートのＩＣタグ（以下、ＧＩＣタグという）にカメラ撮影禁止コードをライトすると共にゲートを開け、前記カメラ付携帯のＩＣタグリーダ・ライタが当該ＧＩＣタグからカメラ撮影禁止コードをリードしてカメラ撮影抑止すると共に前記ＫＩＣタグにライトし、一方、カメラ撮影禁止区域の出口に設けたゲートで前記カメラ付携帯のＩＣタグリーダ・ライタが当該ゲートのＩＣタグからカメラ撮影禁止解除コードをリードしたときにカメラ撮影抑止解除すると共に前記ＫＩＣタグのカメラ撮影禁止の解除コードをライトする
ことを特徴とするカメラ機能制御方法。
【請求項２】
前記カメラ撮影禁止区域を含む全区域の入口に設けたゲートで当該ゲートのＩＣタグリーダ・ライタが前記ＫＩＣタグからリードした情報が入場を許可する情報と判明したときに対応する許可番号を当該ゲートのＩＣタグ（以下、ＧＩＣタグという）に書込むと共に当該ゲートを開け、前記カメラ付携帯のＩＣタグリーダ・ライタが前記ＧＩＣタグからリードした許可番号を前記ＫＩＣタグにライトすることを特徴とする請求項１記載のカメラ機能制御方法。
【請求項３】
前記許可番号あるいは前記許可番号に付加した情報が所定日、あるいは所定日時の間のみ有効である情報を含むことを特徴とする請求項１あるいは請求項２記載のカメラ機能制御方法。
【請求項４】
カメラ送受信禁止区域の入口に設けたゲートが前記ＫＩＣタグからリードした許可番号について許可された番号と判明したときに当該ゲートのＩＣタグ（以下、ＧＩＣタグという）にカメラ送受信禁止コードをライトすると共にゲートを開け、前記カメラ付携帯のＩＣタグリーダ・ライタが当該ＧＩＣタグからカメラ送受信禁止コードをリードしてカメラ送受信抑止すると共に前記ＫＩＣタグにライトし、一方、カメラ送受信禁止区域の出口に設けたゲートで前記カメラ付携帯のＩＣタグリーダ・ライタが当該ゲートのＩＣタグからカメラ送受信禁止解除コードをリードしたときにカメラ送受信抑止解除すると共に前記ＫＩＣタグのカメラ送受信禁止の解除コードをライトすることを特徴とする請求項１から請求項３のいずれかに記載のカメラ機能制御方法。
【請求項５】
請求項４の方法であって、前記カメラ送受信禁止区域で送受信のみを禁止することを特徴とするカメラ機能制御方法。
【請求項６】
カメラ付携帯電話のカメラ機能を制御するカメラ機能制御システムにおいて、
カメラ付携帯電話に装着したＩＣタグリーダ・ライタおよび許可番号をライトするＩＣタグ（以下、ＫＩＣタグという）と、
カメラ撮影禁止区域の入口に設けたゲートが前記ＫＩＣタグからリードした許可番号について許可された番号と判明したときに当該ゲートのＩＣタグ（以下、ＧＩＣタグという）にカメラ撮影禁止コードをライトすると共にゲートを開ける手段と、
前記カメラ付携帯のＩＣタグリーダ・ライタによって当該ＧＩＣタグからカメラ撮影禁止コードをリードしてカメラ撮影抑止すると共に前記ＫＩＣタグにライトする手段と、
一方、カメラ撮影禁止区域の出口に設けたゲートで前記カメラ付携帯のＩＣタグリーダ・ライタによって当該ゲートのＩＣタグからカメラ撮影禁止解除コードをリードしたときにカメラ撮影抑止解除すると共に前記ＫＩＣタグのカメラ撮影禁止の解除コードをライトする手段と
を備えたことを特徴とするカメラ機能制御システム。
【発明の詳細な説明】
【技術分野】
【０００１】
本発明は、カメラ付携帯電話のカメラ機能を制御するカメラ機能制御方法およびカメラ機能制御システムに関するものである。
【背景技術】
【０００２】
従来、カメラ付携帯電話が撮影禁止エリアに入り、当該撮影禁止エリアの基地局から送信された識別コードを受信したときにカメラ撮影を抑止して撮影不可にすることが行われている（特許文献１）。
【特許文献１】特開２００５−１４２８４５号公報
【発明の開示】
【発明が解決しようとする課題】
【０００３】
しかし、上述した技術では、撮影禁止エリアの基地局から送信された識別コードをカメラ付携帯電話が受信したときにカメラ撮影を禁止するものであり、工場内の特定区域のゲートを通過して内側の当該特定区域内で確実にカメラ機能を抑止し得ないと共に、電波を受信できない建屋の内部では識別コードが受信できず、カメラ機能を抑止不可という問題もあった。
【課題を解決するための手段】
【０００４】
本発明は、これらの問題を解決するため、工場などの入口ゲートでカメラ付携帯電話に装着したＩＣタグに当該ゲートからの許可番号を記憶し、所定区域の出入口のゲートで撮影禁止コードがリードされたときにＩＣタグに記憶すると共にカメラ機能を抑止したり、送受信禁止コードがリードされたときにＩＣタグに記憶すると共に送受信機能を抑止したりし、工場などの区域のレベルに応じて入域許可、カメラ機能抑止、送受信機能抑止をきめ細かく自動制御することを目的としている。
【発明の効果】
【０００５】
本発明は、工場などの入口ゲートでカメラ付携帯電話に装着したＩＣタグに当該ゲートからの許可番号を記憶し、所定区域の出入口のゲートで撮影禁止コードがリードされたときにＩＣタグに記憶すると共にカメラ機能を抑止したり、送受信禁止コードがリードされたときにＩＣタグに記憶すると共に送受信機能を抑止したりすることにより、工場などの区域のレベルに応じて入域許可、カメラ機能抑止、送受信機能抑止をきめ細かく自動制御することが可能となる。
【発明を実施するための最良の形態】
【０００６】
本発明は、工場などの入口ゲートでカメラ付携帯電話に装着したＩＣタグに当該ゲートからの許可番号を記憶し、所定区域の出入口のゲートで撮影禁止コードがリードされたときにＩＣタグに記憶すると共にカメラ機能を抑止したり、送受信禁止コードがリードされたときにＩＣタグに記憶すると共に送受信機能を抑止することを実現した。
【実施例１】
【０００７】
図１は、本発明のシステム構成図を示す。
図１の（ａ）は、携帯電話１およびゲート制御装置２のシステム構成図を示す。
【０００８】
図１の（ａ）において、携帯電話１は、カメラ１６を装着した携帯電話であって、ここでは、ＩＣタグリーダ・ライタ１１、ＩＣタグ１２、制御部１３、カメラ１６、操作部１７、メモリ１８、通信部１９などから構成されるものである。
【０００９】
ＩＣタグリーダ・ライタ１１は、ＩＣタグ（ＫＩＣタグ）１２や後述するＩＣタグ（ＧＩＣ，ＳＩＣ）２２にデータ（許可番号などのデータ）をライトしたり、リードしたりするものである。
【００１０】
ＩＣタグ１２は、無線でデータをライト、リード可能なＩＣタグである。
制御部１３は、携帯電話１を統括制御する制御部であって、プログラムに従い各種制御を行うものであり、ここではカメラ抑止手段１４、送受信抑止手段１５などから構成されるものである。
【００１１】
カメラ抑止手段１４は、ＩＣタグリーダ・ライタ１１によってＩＣタグ（ＧＩＣ，ＳＩＣ）２２からカメラ撮影禁止コードがリードされたときにカメラ１６による撮影を抑止するものである。
【００１２】
送受信抑止手段１５は、ＩＣタグリーダ・ライタ１１によってＩＣタグ（ＧＩＣ，ＳＩＣ）２２から送受信禁止コードがリードされたときに通信部１９による送受信を抑止するものである。
【００１３】
カメラ１６は、被写体を撮影するデジタルカメラである。
操作部１７は、携帯電話１の各種ボタンなどの操作部である。
【００１４】
メモリ１８は、不揮発性のメモリであって、情報（携帯電話１の保持者の個人情報などの情報、図５の（ｄ）参照）を記憶するものである。
【００１５】
通信部１９は、無線で基地局を介して相手先の携帯電話１などと相互に通信するものである。
【００１６】
ゲート制御装置２は、工場などの入口、禁止区域の入口のゲートに設けたものであって、ここでは、ＩＣタグリーダ・ライタ２１、ＩＣタグ（ＧＩＣ，ＳＩＣ）２２、ゲート開閉手段２３、制御部２４、操作部２５、およびメモリ２６などから構成されるものである。
【００１７】
ＩＣタグリーダ・ライタ２１は、ＩＣタグ（ＧＩＣ，ＳＩＣタグ）２２やＩＣタグ（ＫＩＣ）１２にデータ（許可番号などのデータ）をライトしたり、リードしたりするものである。
【００１８】
ＩＣタグ２２は、無線でデータをライト、リード可能なＩＣタグである。
ゲート開閉手段２３は、工場、区域の入口に設けたゲートを開閉するものである。
【００１９】
制御部２４は、ゲート制御装置２を統括制御する制御部であって、プログラムに従い各種制御を行うものである。
【００２０】
操作部２５は、データや各種指示などを入力する操作部である。
メモリ２６は、不揮発性のメモリであって、情報（許可番号などの情報、図５）を記憶するものである。
【００２１】
図１の（ｂ）は、携帯電話１の正面から見た概略構成図を示す。
図１の（ｂ）において、ＩＣタグ１２は、許可番号などのデータを無線でライトした記憶したり、無線でリードしてその内容を読み出したりなどするＩＣタグである。
【００２２】
カメラ１６は、被写体を撮影するデジタルカメラである。
ＩＣタグリーダ・ライタ１１は、ＩＣタグ１２、ＩＣタグ２２からデータをリードしたり、ライトしたりするものである。
【００２３】
表示部２０は、データや指示などの情報あるいはカメラの映像を表示するディスプレイである。
操作部１７は、データや指示などを入力する各種ボタンを設けた部分である。
【００２４】
次に、図２のフローチャートの順番に従い図１の構成のもとで、工場ゲートで許可受付するときの動作を詳細に説明する。ここで、携帯電話１、ゲート制御装置２は、図１の同一番号のものである。
【００２５】
図２において、Ｓ１は、自分の氏名、会社名、電話番号をメモリよりリードする。これは、図１の携帯電話１を構成する制御部１３が不揮発性のメモリ１８から予め記憶させた自分の氏名、会社名、電話番号からなる個人を特定する情報、例えば図５の（ｄ）のメモリから
・申請者氏名：今村  和子
・会社名    ：ｖｖ株式会社
・携帯電話番号：０８０−６５３２−ｃｃｃｃ
をリードする。
【００２６】
Ｓ２は、ＫＩＣタグ１２へライトする。これは、Ｓ１でリードした情報を、ＩＣタグ（ＫＩＣタグ）１２へライトし、工場入口のゲート制御装置２のＩＣタグリーダ・ライタ２１がリードできるようにする。
【００２７】
Ｓ１１は、ゲート制御装置２のＩＣタグリーダ・ライタ２１がＫＩＣタグ１２から情報をリードする。
【００２８】
Ｓ１２は、申請表と照合する。
Ｓ１３は、事前申請者か判別する。これらＳ１１、Ｓ１２、Ｓ１３は、Ｓ２でライトされたＫＩＣタグ１２（携帯電話１のＩＣタグ１２）から情報（Ｓ２でライトされた「今村  和子、ｖｖ株式会社、０８０−６５３２−ｃｃｃｃ」）をリードし、図５の（ａ）の入門ゲートメモリ中に予め登録されている情報と照合し、一致する事前申請者か判別する。Ｓ１の例では、先頭の許可番号「ＡＢＣ００５６」のエントリの情報と一致することが判明するので、ＹＥＳとなり、Ｓ１４に進む。ＮＯの場合には、事前申請者でないと判明したので、Ｓ１８でＧＩＣ（ＩＣタグ２２）を全クリアし、入門を許可しない。
【００２９】
Ｓ１４は、Ｓ１３のＹＥＳで事前申請者と一致したので、タイマをゲートに設定する。
Ｓ１５は、許可番号をメモリから読み出す。これは、Ｓ１３のＹＥＳで一致した例えば図５の（ａ）の先頭のエントリの許可番号「ＡＢＣ００５６」を読み出す。
【００３０】
Ｓ１６は、許可番号をＧＩＣタグ２２へライトする。これにより、携帯電話１の所有者の情報が事前申請者であると判明し、その許可番号、ここでは、「ＡＢＣ００５６」を工場の入口のゲートに設けた図１のゲート制御装置２のＩＣタグ（ＧＩＣタグ）２２へライトする。
【００３１】
Ｓ１７は、タイマ終了か判別する。これは、Ｓ１４でタイマを設定した時間が終了か判別する。ＹＥＳの場合には、Ｓ１８でＧＩＣタグを全クリアし、許可情報を消去し、盗用を防止する。一方、Ｓ１７のＮＯの場合には、Ｓ１７を繰り返す。
【００３２】
そして、Ｓ３は、ＧＩＣタグをリードする。これは、Ｓ１６でゲート制御装置２の側のＩＣリード・ライタ２１がＩＣタグ（ＧＩＣタグ）２２に許可情報をライトしたので、これを携帯電話１のＩＣリーダ・ライタ１１がリードする。
【００３３】
Ｓ４は、許可番号を取得か判別する。ＹＥＳの場合には、Ｓ５で許可番号をＫＩＣタグ（携帯電話１のＩＣタグ１２）にライトする。一方、ＮＯの場合には、Ｓ３以降を繰り返す。
【００３４】
以上によって、携帯電話１を携帯した人が訪問先の工場の入口のゲートに行き、図示外の入門ボタンを押下すると、不揮発性のメモリ１８からリードした情報（図５の（ｄ）参照）をＫＩＣタグ１２にライトし、ゲートのゲート制御装置２のＩＣリーダ・ライタ２１がＫＩＣタグ１２から情報を読み出して照合し事前登録者に該当するときはその許可番号（図５の（ａ），（ｂ））をＧＩＣラグ２２にライトし、これを携帯電話１のＩＣリーダ・ライタ１１がリードしてＫＩＣタグ１２にライトすることが可能となる。これにより、工場の入口で事前登録者かチェックしてＯＫのときにその許可番号を取得して携帯電話１のＫＩＣタグ１２にライトし、図３で説明する撮影禁止区域、送受信禁止区域の入口のゲートでカメラ撮影機能を抑止、送受信機能を抑止するための準備が完了したこととなる。
【００３５】
図３は、本発明の動作説明フローチャートを示す。ここで、携帯電話１は申請者が持参する図１のカメラ付携帯電話１であり、ゲート制御装置２は工場内のカメラ撮影禁止区域あるいは送受信禁止区域の入口のゲートに設けた図１のゲート制御装置２である。
【００３６】
図３において、Ｓ２１は、許可番号をリードする。
Ｓ２２は、許可番号をＩＣタグ（ＫＩＣタグ）１２にライトする。これらＳ２１、Ｓ２２は、既述した図２のＳ３からＳ５に対応するものである。
【００３７】
Ｓ４１は、ＫＩＣタグをリードする。これは工場内のある区域の入口に設けたゲート制御装置２が携帯電話１のＫＩＣタグ１２の内容をリードする（ここでは、許可番号をリードする）。
【００３８】
Ｓ４２は、バッチＩＣタグをリードする。これは、携帯電話１に装着したＫＩＣタグ１２の他に、工場入門カードに装着したバッチＩＣタグの内容をリードする。
【００３９】
Ｓ４３は、バッチＩＣタグか判別する。Ｓ４１、Ｓ４２でリードされた内容がバッチＩＣタグからの内容か判別する。ＹＥＳの場合には、カメラ付携帯電話１を入門者が持参していなく、工場入力カードに装着したバッチＩＣタグであると判明したので、ここでは、Ｓ４６でゲートを開けて区域に入ることを認める。一方、ＮＯの場合には、カメラ付携帯電話１を持参する入門者と判明したので、Ｓ４４でＫＩＣタグ１２から許可番号を得る（リードする）。
【００４０】
Ｓ４５は、当日の許可番号か判別する。これは、Ｓ４４で携帯電話１に装着したＫＩＣタグ１２からリードした許可番号について、図４の（ｂ）の当日の開門許可番号リストにあって当日の許可番号か判別する。ＹＥＳの場合には、Ｓ４６でゲートを開けて入ることを認める。一方、ＮＯの場合には、当日の許可番号でないと判明したのでＳ４１以降を繰り返し、所定回数を越えたらエラーとし、当日の許可番号でない旨のメッセージを表示し、携帯電話１の持ち主に知らせる。
【００４１】
Ｓ２３は、入門できたことからカメラ使用する。
以上のＳ２１からＳ２３、Ｓ４１からＳ４６によって、工場の入口のゲートで携帯電話１の所持者が入門ボタンを押下すると、メモリ１８から情報（氏名、会社名、電話番号など）がＫＩＣタグ１２にライトされ、このＫＩＣタグ１２からゲート制御装置２のＩＣタグリーダ・ライタ２１がリードして当日の許可番号か照合して一致したときにゲートを開けて入ることを認めることが可能となる。そして、カメラ付携帯電話１の所持者は当該カメラを使用し、現在の区域内で撮影することが可能となる。
【００４２】
次に、カメラ撮影禁止区域のゲートに近づいたときの動作を詳細に説明する。
図３において、Ｓ２４は、ＳＩＣタグ２２をリードする。これは、カメラ付携帯電話１のＩＣリーダ・ライタ１１がカメラ撮影禁止区域のゲートに設けてあるゲート制御装置２のＳＩＣタグ２２からカメラ撮影禁止コード（例えばカメラ撮影の禁止エリアコード）をリードする。
【００４３】
Ｓ２５は、Ｓ２４でリードした内容がカメラ撮影禁止コードか判別する。ＹＥＳの場合には、Ｓ２６に進む。ＮＯの場合には、ここでは、Ｓ２４以降を繰り返す。
【００４４】
Ｓ２６は、Ｓ２５のＹＥＳでＳＩＣタグ２２からリードした内容がカメラ撮影禁止コードであると判明したので、カメラ機能をサプレス（抑止）する。
【００４５】
Ｓ２７は、サプレス中をＫＩＣタグへライトするＫＩＣタグ（カメラ付携帯電話１のＩＣタグ）１２へライトする。これにより、カメラ付携帯電話１の図５の（ｅ）のＫＩＣタグ１２に禁止エリアコード（ＧＧ５６７１）およびカメラサプレス中フラグ（１）がライトされ、記憶されることとなる。
【００４６】
Ｓ２８は、カメラ使用できず。これは、Ｓ２６でカメラ抑止手段１４によってカメラ１６の使用が抑止されたので、カメラ付携帯電話１を所持する所持者がカメラシャッターを押しても撮影不可となる。
【００４７】
また、ゲート制御装置２の側では、以下を行う。
図３において、Ｓ５１は、ＫＩＣタグをリードする。
【００４８】
Ｓ５２は、バッチＩＣタグをリードする。
Ｓ５３は、バッチＩＣタグか判別する。ＹＥＳの場合には、Ｓ５８でカメラ撮影禁止区域へ入るゲートを開ける。一方，ＮＯの場合には、カメラ付携帯電話１と判明したので、Ｓ５４に進む。
【００４９】
Ｓ５４は、ＫＩＣタグの値（内容）から許可番号を得る。これは、カメラ付携帯電話１のＫＩＣタグ１２の内容を、ゲート制御装置２のＩＣタグリーダ・ライタ２２がリードし、その内容から許可番号を得る。
【００５０】
Ｓ５５は、当日の許可番号か判別する。これは、Ｓ５４で得た許可番号について、図５の（ｂ）の当日の開門許可番号リストを参照し、当日の許可番号か判別する。ＹＥＳの場合には、Ｓ５６に進む。ＮＯの場合には、Ｓ５１以降を所定回数繰り返してもＳ５５のＮＯとなる場合には、エラーメッセージを表示する。
【００５１】
Ｓ５６は、ＫＩＣタグはカメラサプレス状態を示すか判別する。これは、カメラ付携帯電話１に装着したＫＩＣタグ１２からリードしたカメラサプレス中フラグが１（カメラサプレス中状態を表す）か判別する。ＹＥＳの場合には、Ｓ５７に進む。ＮＯの場合には、Ｓ５１以降を所定回数繰り返してもＮＯのときはエラーメッセージを表示する。
【００５２】
Ｓ５７は、禁止エリアコードは一致か判別する。これは、カメラ付携帯電話１のＫＩＣタグ１２からリードした禁止エリアコードが、現在入ろうとしているゲートの禁止エリアコードと一致か判別する。ＹＥＳの場合には、Ｓ５８でゲートを開けてカメラ付携帯電話１の所持者が入ることを認める。一方，のの場合には、Ｓ５１以降を所定回数繰り返してもＮＯのときはエラーメッセージを表示する。
【００５３】
以上のＳ２４からＳ２８、Ｓ５１からＳ５８によって、カメラ付携帯電話１を所持した所持者がカメラ撮影禁止区域のゲートに近づくとカメラ付携帯電話１のＩＣリーダ・ライタ１１がゲートに設置したゲート制御装置２のＳＩＣタグ２２からカメラ撮影の禁止エリアコードをリードしてカメラ抑止手段１４によってカメラ１６の機能を抑止およびＫＩＣタグ１２に禁止エリアコードおよびカメラサプレス中フラグを１にライトすると共に、カメラ撮影禁止区域の入口に設けたゲート制御装置２がＫＩＣタグから許可番号、禁止エリアコード、カメラサプレス中フラグ（１）をリードしてこれら全てがＯＫのときにゲートを開けて入ることを認めることができる。これらにより、カメラ付携帯電話１を所持する所持者は、カメラ撮影禁止区域のゲートが開けられるときに自動的にカメラ機能が抑止されることとなる。
【００５４】
次に、カメラ撮影禁止区域の出口のゲートを出るときの動作を説明する。
図３において、Ｓ２９は、ＳＩＣタグをリードする。これは、カメラ付携帯電話１のＩＣタグリーダ・ライタ１１が当該ゲートに設けたゲート制御装置２のＳＩＣタグ２２からその内容をリードする。
【００５５】
Ｓ３０は、現在サプレス中か判別する。これは、カメラ付携帯電話１がＫＩＣタグ１２からリードしたカメラサプレス中フラグが１（現在サプレス中）か判別する。ＹＥＳの場合には、Ｓ３１に進む。一方、ＮＯの場合には、Ｓ３０を所定回数繰り返してもＮＯのときはエラーメッセージを表示する。
【００５６】
Ｓ３１は、禁止エリアコードは一致か判別する。これは、Ｓ２９でリードした禁止エリアコードと、ＫＩＣタグ１２からリードした禁止エリアコードが一致か判別する。ＹＥＳの場合には、Ｓ３２に進む。ＮＯの場合には、Ｓ３０以降を所定回数繰り返してもＮＯの場合には、エラーメッセージを表示する。
【００５７】
Ｓ３２は、カメラ機能サプレスを中止する。
Ｓ３３は、サプレス中止をＫＩＣタグへライトする。これらＳ３２、Ｓ３３は、カメラ抑止機能を停止してカメラ撮影可能な状態にすると共にＫＩＣタグのカメラサプレス中フラグを０（カメラ機能サプレス中止）にライトする。
【００５８】
以上のＳ２９からＳ３３によって、カメラ撮影禁止区域の出口のゲートで、カメラ撮影禁止を解除することが可能となる。
【００５９】
図４は、本発明の区域例を示す。図示の区域は、工場の全体を複数の区域に区分し、それぞれの区域に
・レベル０：非許可カメラ付携帯電話持ち込み禁止区域
・レベル１：カメラ機能禁止区域
・レベル２：更に、送受信禁止区域
のいずれかを予め割り当てる。
【００６０】
（ａ）の区域は、レベル０を図示のように割り当てた例を示し、カメラ許可エリアＡとなる。
【００６１】
（ｂ）の区域は、同様に、レベル０を図示のように割り当てた例を示し、カメラ許可エリアＢとなる。
【００６２】
（ｃ）の区域は、レベル１，レベル０を図示のように割り当てた例を示し、外側はカメラ禁止エリアＣ、更に内側はカメラ許可エリアとなる。
【００６３】
（ｄ）の区域は、レベル１，レベル２を図示のように割り当てた例を示し、外側はカメラ禁止エリアＤ、更に内側は送受信禁止エリアとなる。
【００６４】
尚、送受信禁止エリアでは、既述した図３のカメラ撮影禁止エリアのフローチャートと同様に、送受信禁止エリアの入口のゲートでＫＩＣタグに付加して禁止エリアコード、送受信サプレス中フラグを１にライトし、出口で送受信サプレス中フラグを０に解除する。
【００６５】
図５は、本発明のデータ例を示す。
図５の（ａ）は、入門ゲートメモリの例を示す。これは、図４の工場への入門ゲートに設置したゲート制御装置２の不揮発性のメモリ２６に予め記憶させるデータ例を示す。ここでは、当日の事前の申請者氏名、会社名、電話番号に対応する許可番号リストを図示の下記のように記憶させる。
【００６６】
・許可番号：
・申請者氏名：
・会社名：
・携帯電話番号：
・当日日付（あるいは有効時間、期間）：
ここで、許可番号は工場への入門を許可する一意の番号である。申請者氏名、会社名け、携帯電話番号は申請者を一意に決めるための情報である。当日日付は許可番号の有効情報であって、当日日付の場合には当該当日日付の日のみ有効である。他に、有効時間、有効期間を設定するようにしてもよい。
【００６７】
図５の（ｂ）は、当日の開門許可番号リストの例を示す。これは、図４の工場への開門許可をする許可番号のリストであって、図示の下記の情報を対応づけて不揮発性のメモリ２６に記憶させたものである。
【００６８】
・開門許可番号：
・バッチＩＣ許可番号：
ここで、開門許可番号は当日の開門許可する番号であり、（ａ）に示す許可番号と働きは同じである。バッチＩＣ許可番号はＴ当日の開門許可するバッチＩＣ番号である。
【００６９】
図５の（ｃ）は、禁止エリアゲートメモリの例を示す。これは、当日の禁止エリアごとのゲートに設置したゲート制御装置２のメモリ２６に記憶させる情報の例であって、ここでは、図示の下記の情報を対応づけて記憶させるものである。
【００７０】
・許可番号：
・申請者氏名：
・会社名：
・携帯電話番号：
・禁止エリアコード：
ここで、許可番号は事前に申請した申請者氏名、会社名、携帯電話番号に対応した許可した許可番号である。禁止エリアコードは、カメラ撮影禁止エリア（あるいは送受信禁止エリア）毎に一意に付与したコードである。
【００７１】
図５の（ｄ）は、携帯電話メモリ（１台ごと）の例を示す。これは、カメラ付携帯電話１の不揮発性のメモリ１８に記憶する情報の例であって、ここでは、図示の下記の情報を対応づけて記憶するものである。
【００７２】
・申請者氏名：
・会社名：
・携帯電話番号：
ここで、申請者氏名、会社名、携帯電話番号は、図４の工場に入門しようとするカメラ付携帯電話１の所持者を一意に識別するための情報である。
【００７３】
図５の（ｅ）は、ＫＩＣタグ１２の例を示す。カメラ付携帯電話１のＫＩＣタグ１２にライトして記憶する情報の例であって、ここでは、図示の下記の情報を対応づけて記憶する。
【００７４】
・許可番号：
・申請者氏名：
・会社名：
・携帯電話番号：
・禁止エリアコード：
・カメラサプレス中フラグ（送受信サプレス中フラグ）：
ここで、許可番号は申請者氏名、会社名、携帯電話番号で決まる当該カメラ付携帯電話１の所持者に付与された入門許可の番号である。禁止エリアコードはカメラ撮影禁止エリア（あるいは送受信禁止エリア）に入ったときの当該エリアを一意に表すコードである。カメラサプレス中フラグ（送受信サプレス中フラグ）はサプレス中のときに１、サプレス中でないとき０と設定して記憶するものである。
【００７５】
図５の（ｆ）は、ＳＩＣタグ２２の例を示す。これは、禁止エリアのゲートに設置したゲート制御装置２のＩＣタグ２２の例であって、図示の下記の情報を対応づけてライトしたものである。
【００７６】
・カメラ禁止コード（あるいは送受信禁止コード）：
・禁止エリアコード：
ここで、カメラ禁止コード（あるいは送受信禁止コード）はカメラ撮影禁止（あるいは送受信禁止）を表すコードである。禁止エリアコードは禁止するエリアを一意に表すコードである。
【００７７】
図５の（ｇ）は、ＧＩＣタグ２２の例を示す。これは、図４の工場への入口のゲートに設置したゲート制御装置２のＩＣタグ２２の例であって、図示の下記の情報を対応づけてライトしたものである。
【００７８】
・許可番号：
・申請者氏名：
・会社名：
・携帯電話番号：
ここで、許可番号は申請者氏名、会社名、携帯電話番号で決まる当該カメラ付携帯電話１の所持者に付与された入門許可の番号である。
【産業上の利用可能性】
【００７９】
本発明は、工場などの区域のレベルに応じて入域許可、カメラ機能抑止、送受信機能抑止をきめ細かく自動制御するカメラ機能制御方法およびカメラ機能制御システムに関するものである。
【図面の簡単な説明】
【００８０】
【図１】本発明のシステム構成図である。
【図２】本発明の動作説明フローチャート（工場ゲート許可）である。
【図３】本発明の動作説明フローチャートである。
【図４】本発明の区域例である。
【図５】本発明のデータ例である。
【符号の説明】
【００８１】
１：携帯電話（カメラ付携帯電話）
１１：ＩＣタグリーダ・ライタ
１２：ＩＣ（ＫＩＣ）タグ
１３：制御部
１４：カメラ抑止手段
１５：送受信抑止手段
１６：カメラ
１７：操作部
１８：メモリ
１９：通信部
２０：表示部
２：ゲート制御装置
２１：ＩＣタグリーダ・ライタ
２２：ＩＣ（ＧＩＣ，ＳＩＣ）タグ
２３：ゲート開閉手段
２４：制御部
２５：操作部
２６：メモリ
【図１】
2007068104.tif 000003
【図２】
2007068104.tif 000004
【図３】
2007068104.tif 000005
【図４】
2007068104.tif 000006
【図５】
2007068104.tif 000007